(57)【要約】【課題】発熱体収納装置用冷却装置あるいは使用している基板が故障により返却された際に、故障原因の要因を効率良く推定できる発熱体収納装置用冷却装置を提供することを目的とする。【解決手段】コントロール基板１９に、室温計測手段２２とＧＰＳ衛星２３からの電波を受信し位置データを作成する受信装置２４と試運転スイッチ２５と時刻計測手段２９と不揮発性メモリー３０とを備えた構成により、試運転スイッチ２５が操作されると受信装置２４からの位置データＬＤ１が不揮発性メモリー３０に記憶され、運転開始後、第１のインバーター２０あるいは第２のインバーター２１に異常状態が発生すると異常データＦＤ１、室温データＲＤ１および時刻データＴＤ１が同時に一対のデータＤ１として不揮発性メモリー３０に記憶される。【選択図】図４
2011220635.tif 000002
【特許請求の範囲】
【請求項１】
第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御手段としての制御装置とを備えた発熱体収納装置用冷却装置において、前記制御装置はこの発熱体収納装置用冷却装置の異常を判断する異常判断手段も備えている。この記制御装置に現在位置の少なくとも緯度および経度、あるいは、さらに標高を識別する位置データを無線受信する位置識別手段を備え、この位置識別手段による位置データを記憶する記憶手段を備え、前記発熱体収納装置用冷却装置が発熱体収納装置に設置された際に前記記憶手段に前記位置データを記憶し、また、前記制御装置には時刻を計測する時刻計測手段を備え、前記異常判断手段が前記発熱体収納装置用冷却装置の異常を判断した際に、前記記憶手段にこの時の時刻データと異常データを記憶することを特徴とした発熱体収納装置用冷却装置。
【請求項２】
発熱体収納装置に発熱体収納装置用冷却装置が組み込まれ、正常動作を確認する確認手段としての試運転スイッチを備え、この試運転スイッチが操作された際に記憶手段に位置データを記憶することを特徴とする請求項１記載の発熱体収納装置用冷却装置。
【請求項３】
発熱体収納装置用冷却装置に供給される直流電源が印加され、予め設定された時間が経過した後に、記憶手段に位置データを記憶することを特徴とする請求項１記載の発熱体収納装置用冷却装置。
【請求項４】
発熱体収納装置の扉が開閉したことを検知する扉開閉検知手段を発熱体収納装置の扉に設置された発熱体収納装置用冷却装置に備え、扉が閉められ始めた際に記憶手段に位置データを記憶することを特徴とする請求項１記載の発熱体収納装置用冷却装置。
【請求項５】
発熱体収納装置の扉が開閉したことを検知する扉開閉検知手段を発熱体収納装置内に備え、扉が閉められ始めた際に記憶手段に位置データを記憶することを特徴とする請求項１記載の発熱体収納装置用冷却装置。
【請求項６】
第２吸気口の吸気温度を測定する第２環境温度計測手段を制御装置に備え、異常判断手段が前記発熱体収納装置用冷却装置の異常を判断した際に、記憶手段に第２吸気口の吸気温度データも記憶することを特徴とした請求項１乃至５記載の発熱体収納装置用冷却装置。
【請求項７】
第１吸気口の吸気温度を測定する第１環境温度計測手段を制御装置に備え、異常判断手段が前記発熱体収納装置用冷却装置の異常を判断した際に、記憶手段に第１吸気口の吸気温度データも記憶することを特徴とした請求項１乃至６記載の発熱体収納装置用冷却装置。
【請求項８】
第１の送風ファンおよび第２の送風ファンの運転時間を積算する運転時間積算手段を制御装置に祖備え、この制御装置が前記発熱体収納装置用冷却装置の異常を判断した際に、記憶手段に第１の送風ファンおよび第２の送風ファンの運転積算時間データも記憶することを特徴とする請求項１乃至７記載の発熱体収納装置用冷却装置。
【請求項９】
位置を識別する位置データを無線受信する位置識別手段の衛星測位システムがＧＰＳであることを特徴とする請求項１乃至８記載の発熱体収納装置用冷却装置。
【請求項１０】
位置データを記憶手段に記憶させる際にＧＰＳによる時刻補正機能により電子制御装置のに備えた時刻計測手段の時刻を補正する時刻補正手段を備えたことを特徴とする請求項１乃至９記載の発熱体収納装置用冷却装置。
【請求項１１】
インターネット回線に接続された表示装置を備えた位置確認手段を制御装置に接続することによって記憶手段に記憶された位置データにより位置情報を表示装置に掲示することを特徴とする前記請求項１乃至１０記載の発熱体収納装置用冷却装置。
【請求項１２】
インターネット回線に接続された気象確認手段と表示装置を備え、制御装置に接続することによって記憶手段に記憶された位置データと時刻データによりこの位置におけるその時刻の気象情報を表示装置に掲示することを特徴とする前記請求項１乃至１１記載の発熱体収納装置用冷却装置。
【発明の詳細な説明】
【技術分野】
【０００１】
本発明は、地球上のどこにでも任意に設置される発熱体収納装置に組み込まれる発熱体収納装置用冷却装置において、この製品あるいは使用している電装品が故障により返却された際に、測位衛星を用いた位置測定システムを利用した位置情報より故障原因の要因を効率良く推定させ得るものである。
【背景技術】
【０００２】
例えば、発熱体収納装置用冷却装置に類似する設備機器としてはネットワークを介して監視センターへ接続された空気調和機のサービスシステムとして、ＧＰＳ衛星から発信する電波を受信した位置情報と、予め記憶させていた空気調和機の製造番号とを監視センター送信し、監視センターでは位置情報と製造番号に基づいて空気調和機のサービスを行うものが知られている。（これに類似する先行文献としては特許文献１を参照）。
【先行技術文献】
【特許文献】
【０００３】
【特許文献１】特許第３５９０８９１号公報
【発明の概要】
【発明が解決しようとする課題】
【０００４】
発熱体収納装置は、発熱体収納装置に組み込む機器を製作する装置内機器業者が発熱体収納装置を組み立てる装置業者に収め、組み立てた発熱体収納装置が設置業者や施工業者によって発熱体収納装置を管理運用する管理運用業者の指定する場所に設置され、その後、管理運用業者により管理運用される。従って、発熱体収納装置は、今日、地球上のどこにでも任意に設置され、設置された使用環境具合は様々であり、その発熱体収納装置を冷却する発熱体収納装置用冷却装置やこの発熱体収納装置用冷却装置に備えた基板などの電装品が故障により返却された際に故障原因の要因を推定しようとしても設置された場所や使用環境である気象情報（例えば気温、湿度あるいは落雷など）が明確になって返却されることが少なく、設置業者や施工業者あるいは管理運用業者に設置場所や気象情報などの状況を照会している間に、日時の経過、あるいは伝達の過程で生じる誤報や最悪の場合には照会結果が届かないなどが起こり速やかに故障要因を推定する障害となっており、適切な爾後策を行うために速やかな要因の推定とさらに要因を推定する作業の効率化によるコスト低減、さらには設置場所や気象情報などの状況照会作業に伴う人的負担の低減が求められている。
【０００５】
また、発熱体収納装置は一般的に金属性の密閉されたキャビネット構造であるため、発熱体収納装置用冷却装置が発熱体収納装置に組み込まれ使用状態になった後は、発熱体収納装置内は外部からの電波が遮蔽された状態であり発熱体収納装置用冷却装置自身では外部より電波を取り込むことができないという問題点があり、キャビネット内に組み込まれ密閉される前に、確実に位置情報を取り込む必要がある。
【０００６】
また、電波が遮蔽されていない状態にある一般の設備機器である空気調和機などは、自由に有線によるインターネット回線に接続することもできるが、一般的に屋外に設置される発熱体収納装置はインターネット回線の様な有線式公衆通信回線が引き込まれておらず、発熱体収納装置に組み込まれた発熱体収納装置用冷却装置が外部へ自由に情報提供することができず、運転情報、特に異常時の動作状態を確実に記憶されることが求められている。
【０００７】
このような発熱体収納装置用冷却装置において、常に位置情報を入手する必要がなく制御装置の動作負担が軽く、また、故障原因の要因推定時には効率良く推定ができコスト負担が少なく経済的で、さらには設置場所や気象情報などの状況照会作業に伴う人的負担の低減ができ、また、電波が遮蔽される発熱体収納装置に組み込まれるものであっても設置場所の位置データを取り込める発熱体収納装置用冷却装置を提供することを目的とするものである。
【課題を解決するための手段】
【０００８】
そして、この目的を達成するめに本発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御手段としての制御装置とを備えた発熱体収納装置用冷却装置において、前記制御装置はこの発熱体収納装置用冷却装置の異常を判断する異常判断手段も備えている。この記制御装置に現在位置の少なくとも緯度および経度、あるいは、さらに標高を識別する位置データを無線受信する位置識別手段を備え、この位置識別手段による位置データを記憶する記憶手段を備え、前記発熱体収納装置用冷却装置が発熱体収納装置に設置された際に前記記憶手段に前記位置データを記憶し、また、前記制御装置には時刻を計測する時刻計測手段を備え、前記異常判断手段が前記発熱体収納装置用冷却装置の異常を判断した際に、前記記憶手段にこの時の時刻データと異常データを記憶することとしたものであり、これにより所期の目的を達成するものである。
【０００９】
また、発熱体収納装置に発熱体収納装置用冷却装置が組み込まれ、正常動作を確認する確認手段としての試運転スイッチを備え、この試運転スイッチが操作された際に記憶手段に位置データを記憶することにより所期の目的を達成するものである。
【００１０】
また、発熱体収納装置用冷却装置に供給される直流電源が印加され、予め設定された時間が経過した後に、記憶手段に位置データを記憶することにより所期の目的を達成するものである。
【００１１】
また、発熱体収納装置の扉が開閉したことを検知する扉開閉検知手段を発熱体収納装置の扉に設置された発熱体収納装置用冷却装置に備え、扉が閉められ始めた際に記憶手段に位置データを記憶することにより所期の目的を達成するものである。
【００１２】
また、発熱体収納装置の扉が開閉したことを検知する扉開閉検知手段を発熱体収納装置内に備え、扉が閉められ始めた際に記憶手段に位置データを記憶することとしたものであり、これにより所期の目的を達成するものである。
【００１３】
また、第２吸気口の吸気温度を測定する第２環境温度計測手段を制御装置に備え、異常判断手段が前記発熱体収納装置用冷却装置の異常を判断した際に、記憶手段に第２吸気口の吸気温度データも記憶することとしたものであり、これにより所期の目的を達成するものである。
【００１４】
また、第１吸気口の吸気温度を測定する第１環境温度計測手段を制御装置に備え、異常判断手段が前記発熱体収納装置用冷却装置の異常を判断した際に、記憶手段に第１吸気口の吸気温度データも記憶することとしたものであり、これにより所期の目的を達成するものである。
【００１５】
また、第１の送風ファンおよび第２の送風ファンの運転時間を積算する運転時間積算手段を制御装置に備え、この制御装置が前記発熱体収納装置用冷却装置の異常を判断した際に、記憶手段に第１の送風ファンおよび第２の送風ファンの運転積算時間データも記憶することとしたものであり、これにより所期の目的を達成するものである。
【００１６】
また、位置を識別する位置データを無線受信する位置識別手段の衛星測位システムがＧＰＳであることとしたものであり、これにより所期の目的を達成するものである。
【００１７】
また、位置データを記憶手段に記憶させる際にＧＰＳによる時刻補正機能により電子制御装置に備えた時刻計測手段の時刻を補正する時刻補正手段を備えたこととしたものであり、これにより所期の目的を達成するものである。
【００１８】
また、インターネット回線に接続された表示装置を備えた位置確認手段を制御装置に接続することによって記憶手段に記憶された位置データにより位置情報を表示装置に掲示することとしたものであり、これにより所期の目的を達成するものである。
【００１９】
また、インターネット回線に接続された気象確認手段と表示装置を備え、制御装置に接続することによって記憶手段に記憶された位置データと時刻データによりこの位置におけるその時刻の気象情報を表示装置に掲示することとしたものであり、これにより所期の目的を達成するものである。
【発明の効果】
【００２０】
本発明によれば、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御手段としての制御装置とを備えた発熱体収納装置用冷却装置において、前記制御装置はこの発熱体収納装置用冷却装置の異常を判断する異常判断手段も備えている。この記制御装置に現在位置の少なくとも緯度および経度、あるいは、さらに標高を識別する位置データを無線受信する位置識別手段を備え、この位置識別手段による位置データを記憶する記憶手段を備え、前記発熱体収納装置用冷却装置が発熱体収納装置に設置された際に前記記憶手段に前記位置データを記憶し、また、前記制御装置には時刻を計測する時刻計測手段を備え、前記異常判断手段が前記発熱体収納装置用冷却装置の異常を判断した際に、前記記憶手段にこの時の時刻データと異常データを記憶するという構成にしたことにより、電波が遮蔽される発熱体収納装置に組み込まれるものであっても設置場所の位置データを記憶し、常に位置情報を入手する必要がなく制御装置の動作負担が軽く、また、故障原因の要因推定に必要な異常時の時刻データや異常データを記憶し、発熱体収納装置用冷却装置あるいは実装している基板が故障により返却された際に、位置データおよび異常時の時刻データや異常データを読み出すことができるので故障原因を効率良く推定ができコスト負担が少なく経済的で、さらには設置場所や気象情報などの状況照会作業に伴う人的負担の低減ができるという効果を得ることができる。
【図面の簡単な説明】
【００２１】
【図１】本発明の実施の形態１の発熱体収納装置の設置状態を示す図
【図２】同実施の形態１の発熱体収納装置の構成を示す図
【図３】同実施の形態１の発熱体収納装置用冷却装置の構成を示す図
【図４】同実施の形態１の制御装置の構成を示すブロック図
【図５】本発明の実施の形態２の制御装置の構成を示すブロック図
【図６】本発明の実施の形態３の発熱体収納装置用冷却装置の構成を示す図
【図７】同実施の形態３の制御装置の構成を示すブロック図
【図８】本発明の実施の形態４の発熱体収納装置用冷却装置の構成を示す図
【図９】同実施の形態４の制御装置の構成を示すブロック図
【図１０】本発明の実施の形態５の発熱体収納装置用冷却装置の構成を示す図
【図１１】同実施の形態５の制御装置の構成を示すブロック図
【図１２】本発明の実施の形態６の制御装置の構成を示すブロック図
【図１３】本発明の実施の形態７の制御装置の構成を示すブロック図
【図１４】本発明の実施の形態８の制御装置の構成を示すブロック図
【発明を実施するための形態】
【００２２】
本発明の請求項１記載の発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御手段としての制御装置とを備えた発熱体収納装置用冷却装置において、前記制御装置はこの発熱体収納装置用冷却装置の異常を判断する異常判断手段も備えている。この記制御装置に現在位置の少なくとも緯度および経度、あるいは、さらに標高を識別する位置データを無線受信する位置識別手段を備え、この位置識別手段による位置データを記憶する記憶手段を備え、前記発熱体収納装置用冷却装置が発熱体収納装置に設置された際に前記記憶手段に前記位置データを記憶し、また、前記制御装置には時刻を計測する時刻計測手段を備え、前記異常判断手段が前記発熱体収納装置用冷却装置の異常を判断した際に、前記記憶手段にこの時の時刻データと異常データを記憶するという構成を有する。これにより、電波が遮蔽される発熱体収納装置に組み込まれる扉の開いている設置時に設置場所の位置データを記憶し、また、故障原因の要因推定に必要な異常時の時刻データや異常データを記憶することとなるので、常に位置情報を入手する必要がなく制御装置の動作負担が軽く、発熱体収納装置用冷却装置あるいは実装している基板が故障により返却された際に、位置データおよび異常時の時刻データや異常データを読み出すことにより故障原因を効率良く推定ができコスト負担が少なく経済的で、さらには設置場所や気象情報などの状況照会作業に伴う人的負担の低減ができるという効果を奏する。
【００２３】
また、請求項２記載の発明は、発熱体収納装置に発熱体収納装置用冷却装置が組み込まれ、正常動作を確認する確認手段としての試運転スイッチを備え、この試運転スイッチが操作された際に記憶手段に位置データを記憶するという構成を有する。これにより、電波が遮蔽される発熱体収納装置に組み込まれる扉の開いている設置時に設置場所の位置データを記憶し、また、故障原因の要因推定に必要な異常時の時刻データや異常データを記憶することとなるので、常に位置情報を入手する必要がなく制御装置の動作負担が軽く、発熱体収納装置用冷却装置あるいは実装している基板が故障により返却された際に、位置データおよび異常時の時刻データや異常データを読み出すことにより故障原因を効率良く推定ができコスト負担が少なく経済的で、さらには設置場所や気象情報などの状況照会作業に伴う人的負担の低減ができるという効果を奏する。
【００２４】
また、請求項３記載の発明は、発熱体収納装置用冷却装置に供給される直流電源が印加され、予め設定された時間が経過した後に、記憶手段に位置データを記憶するという構成を有する。これにより、電波が遮蔽される発熱体収納装置に組み込まれる扉の開いている設置時に設置場所の位置データを記憶し、また、故障原因の要因推定に必要な異常時の時刻データや異常データを記憶することとなるので、常に位置情報を入手する必要がなく制御装置の動作負担が軽く、発熱体収納装置用冷却装置あるいは実装している基板が故障により返却された際に、位置データおよび異常時の時刻データや異常データを読み出すことにより故障原因を効率良く推定ができコスト負担が少なく経済的で、さらには設置場所や気象情報などの状況照会作業に伴う人的負担の低減ができるという効果を奏する。
【００２５】
また、請求項４記載の発明は、発熱体収納装置の扉が開閉したことを検知する扉開閉検知手段を発熱体収納装置の扉に設置された発熱体収納装置用冷却装置に備え、扉が閉められ始めた際に記憶手段に位置データを記憶するという構成を有する。これにより、電波が遮蔽される発熱体収納装置に組み込まれる扉の開いている設置時に設置場所の位置データを記憶し、また、故障原因の要因推定に必要な異常時の時刻データや異常データを記憶することとなるので、常に位置情報を入手する必要がなく制御装置の動作負担が軽く、発熱体収納装置用冷却装置あるいは実装している基板が故障により返却された際に、位置データおよび異常時の時刻データや異常データを読み出すことにより故障原因を効率良く推定ができコスト負担が少なく経済的で、さらには設置場所や気象情報などの状況照会作業に伴う人的負担の低減ができるという効果を奏する。
【００２６】
また、請求項５記載の発明は、発熱体収納装置の扉が開閉したことを検知する扉開閉検知手段を発熱体収納装置内に備え、扉が閉められ始めた際に記憶手段に位置データを記憶するという構成を有する。これにより、電波が遮蔽される発熱体収納装置に組み込まれる扉の開いている設置時に設置場所の位置データを記憶し、また、故障原因の要因推定に必要な異常時の時刻データや異常データを記憶することとなるので、常に位置情報を入手する必要がなく制御装置の動作負担が軽く、発熱体収納装置用冷却装置あるいは実装している基板が故障により返却された際に、位置データおよび異常時の時刻データや異常データを読み出すことにより故障原因を効率良く推定ができコスト負担が少なく経済的で、さらには設置場所や気象情報などの状況照会作業に伴う人的負担の低減ができるという効果を奏する。
【００２７】
また、請求項６記載の発明は、第２吸気口の吸気温度を測定する第２環境温度計測手段を制御装置に備え、異常判断手段が前記発熱体収納装置用冷却装置の異常を判断した際に、記憶手段に第２吸気口の吸気温度データも記憶するという構成を有する。これにより、異常発生時の発熱体収納装置内の室温を記憶することとなるので、発熱体収納装置用冷却装置あるいは実装している基板が故障により返却された際に、位置データおよび異常時の時刻データ、異常データや室温データを読み出すことにより故障原因を効率良く推定ができコスト負担が少なく経済的で、さらには設置場所や気象情報などの状況照会作業に伴う人的負担の低減ができるという効果を奏する。
【００２８】
また、請求項７記載の発明は、第１吸気口の吸気温度を測定する第１環境温度計測手段を制御装置に備え、異常判断手段が前記発熱体収納装置用冷却装置の異常を判断した際に、記憶手段に第１吸気口の吸気温度データも記憶するという構成を有する。これにより、異常発生時の発熱体収納装置の外気温を記憶することとなるので、発熱体収納装置用冷却装置あるいは実装している基板が故障により返却された際に、位置データおよび異常時の時刻データ、異常データや外気温データを読み出すことにより外気温データと位置データから割り出した気象情報とを照合し、気象データの気温データを補正することにより故障原因を効率良く推定ができコスト負担が少なく経済的で、さらには設置場所や気象情報などの状況照会作業に伴う人的負担の低減ができるという効果を奏する。
【００２９】
また、請求項８記載の発明は、第１の送風ファンおよび第２の送風ファンの運転時間を積算する運転時間積算手段を制御装置に備え、この制御装置が前記発熱体収納装置用冷却装置の異常を判断した際に、記憶手段に第１の送風ファンおよび第２の送風ファンの運転積算時間データも記憶するという構成を有する。これにより、異常発生時までの第１の送風ファンおよび第２の送風ファンの運転積算時間データを記憶することとなるので、発熱体収納装置用冷却装置あるいは実装している基板が故障により返却された際に、位置データおよび異常時の時刻データ、異常データや第１の送風ファンおよび第２の送風ファンの運転積算時間データを読み出すことにより故障が第１の送風ファンおよび第２の送風ファンの寿命により生じたものかが判明し、故障原因を効率良く推定ができコスト負担が少なく経済的で、さらには設置場所や気象情報などの状況照会作業に伴う人的負担の低減ができるという効果を奏する。
【００３０】
また、請求項９記載の発明は、位置を識別する位置データを無線受信する位置識別手段の衛星測位システムがＧＰＳであるという構成を有する。これにより、発熱体収納装置に組み込まれた発熱体収納装置用冷却装置の位置データが正確に判明することとなるので、発熱体収納装置用冷却装置あるいは実装している基板が故障により返却された際に、正確な位置データから設置場所のより正確な気象情報を割り出すことができるので、故障原因を効率良く推定ができコスト負担が少なく経済的で、さらには設置場所や気象情報などの状況照会作業に伴う人的負担の低減ができるという効果を奏する。
【００３１】
また、請求項１０記載の発明は、位置データを記憶手段に記憶させる際にＧＰＳによる時刻補正機能により電子制御装置に備えた時刻計測手段の時刻を補正する時刻補正手段を備えたという構成を有する。これにより、ＧＰＳ衛星が送信する電波にはＧＰＳ衛星内の原子時計誤差情報が含まれておりこの誤差情報を使って時刻補正手段にて時刻を補正し時刻計測手段で正確な時刻を計測することとなるので、発熱体収納装置用冷却装置あるいは実装している基板が故障により返却された際に、正確な時刻データから異常時の気象情報が正確に割り出すことができるので、故障原因を効率良く推定ができコスト負担が少なく経済的で、さらには設置場所や気象情報などの状況照会作業に伴う人的負担の低減ができるという効果を奏する。
【００３２】
また、請求項１１記載の発明は、インターネット回線に接続された表示装置を備えた位置確認手段を制御装置に接続することによって記憶手段に記憶された位置データにより位置情報を表示装置に掲示するという構成を有する。これにより、故障として発熱体収納装置用冷却装置あるいはコントロール基板１９が返却された際に、インターネット回線に接続した表示装置を備えた位置確認手段に位置データが読み出されてインターネット回線を使って直ちに発熱体収納装置用冷却装置７の設置位置を割り出し表示装置に位置情報を表示することとなるので、位置情報を速やかに割り出し故障原因を効率良く推定ができコスト負担が少なく経済的で、さらには設置場所や気象情報などの状況照会作業に伴う人的負担の低減ができるという効果を奏する。
【００３３】
また、請求項１２記載の発明は、インターネット回線に接続された気象確認手段と表示装置を備え、制御装置に接続することによって記憶手段に記憶された位置データと時刻データによりこの位置におけるその時刻の気象情報を表示装置に掲示するという構成を有する。これにより、これにより、故障として発熱体収納装置用冷却装置あるいはコントロール基板１９が返却された際に、インターネット回線に接続した表示装置を備えた気象確認手段に位置データが読み出されてインターネット回線を使って直ちに発熱体収納装置用冷却装置７の設置位置を割り出して気象情報を割り出し表示装置に設置位置の気象情報を表示することとなるので、気象情報を速やかに割り出し故障原因を効率良く推定ができコスト負担が少なく経済的で、さらには設置場所や気象情報などの状況照会作業に伴う人的負担の低減ができるという効果を奏する。
【００３４】
以下、本発明の実施の形態について図面を参照しながら説明する。
【００３５】
（実施の形態１）
図１において、ビルディング１の屋上２には携帯電話基地局３が設けられている。携帯電話基地局３は、発熱体収納装置である全金属性箱状のキャビネット４とこのキャビネット４内に設けた複数の通信機５と前記キャビネット４の前面開口部に設けられた扉６に装着された発熱体収納装置用冷却装置７とにより構成されている。
【００３６】
前記発熱体収納装置用冷却装置７は、図２に示すように、外気（第１環境）用の第１吸気口８と第１吐出口９およびキャビネット４内（第２環境）用の第２吸気口１０と第２吐出口１１を有する本体ケース１２と、この本体ケース１２内に設けられた外気（第１環境）用の第１の送風ファン１３およびキャビネット４内（第２環境）用の第２の送風ファン１４と、前記本体ケース１２内において外気（第１環境）の空気とキャビネット４内（第２環境）の空気との熱交換を行う熱交換器１５とを備え、第１の送風ファン１３と第２の送風ファン１４を制御する制御装置１６を備え、キャビネット４内の室温を計測するべく第２吸気口１０内に室温サーミスター１７を備えて、制御装置１６に接続している。
【００３７】
また、この制御装置１６には、図３に示すように、キャビネット４に供給される外部電源（図示せず）を所定の直流電圧に変換する直流電源１８が接続され、制御装置１６内でコントロール基板１９と前記第１の送風ファン１３と第２の送風ファン１４を駆動制御する第１のインバーター２０および第２のインバーター２１に接続され、前記室温サーミスター１７は前記コントロール基板１９に接続されている。
【００３８】
さらに、図４に示すように、コントロール基板１９には、室温サーミスター１７が接続された第２環境温度計測手段としての室温計測手段２２を備え、測位衛星システムとしてのＧＰＳ衛星２３からの電波を受信し位置データを作成する位置認識手段としての受信装置２４を備え、発熱体収納装置用冷却装置７の正常動作を確認する確認手段としての試運転スイッチ２５とこの試運転スイッチ２５が操作されたことを判断する試運転判断手段２６を備え、この試運転判断手段２６から試運転信号が前記受信装置２４および運転指示手段２７に送信される。この運転指示手段２７は、前記第１の送風ファン１３と第２の送風ファン１４を駆動制御する第１のインバーター２０および第２のインバーター２１に接続される。これら第１のインバーター２０および第２のインバーター２１は、その運転状態を監視して異常を判断する異常判断手段２８に接続されている。さらに、前記コントロール基板１９は時刻計測手段２９と、記憶手段としての不揮発性メモリー３０とを備え、前記室温計測手段２２、前記受信装置２４、異常判断手段２８および時刻計測手段２９は不揮発性メモリー３０に接続されている。異常判断手段２８は異常信号を前記室温計測手段２２と、前記運転指示手段２７と時刻計測手段２９と、不揮発性メモリー３０へ送信する。
【００３９】
このような構成によれば、発熱体収納装置用冷却装置７はキャビネット４の扉６に組み込まれる。そして施工業者の検査員（図示せず）がこの発熱体収納装置用冷却装置７の正常動作確認を行うためにキャビネット４の扉６を開けた状態で直流電源１８を印加して試運転スイッチ２５を押すことにより、試運転判断手段２６は試運転状態への移行と判断し、運転指示手段２７に所定の運転指令を行うと共に試運転信号を受信装置２４に送信し、受信装置２４がＧＰＳ衛星２３より電波を受け取り認識した位置データＬＤ１を不揮発性メモリー３０に送信してこの位置データＬＤ１が記憶される。その後、発熱体収納装置用冷却装置７の正常動作が確認された後に扉６が閉められこの発熱体収納装置用冷却装置７は完全にキャビネット４の中に電波の届かない電波遮蔽状態として密閉される。
【００４０】
そして、キャビネット４内で通信機５を冷却するために発熱体収納装置用冷却装置７が運転を開始し、異常判断手段２８では第１の送風ファン１３と第２の送風ファン１４を駆動制御する第１のインバーター２０および第２のインバーター２１の運転状態を監視することとなる。万が一、例えば、過電流などの異常状態が発生し、異常判断手段２８が異常と判断した場合には、この異常判断手段２８は運転指示手段２７に異常信号Ｆ１を送信し、異常が発生した第１のインバーター２０あるいは第２のインバーター２１を停止させるようにする。一方、この異常信号Ｆ１は室温計測手段２２、時刻計測手段２９および不揮発性メモリー３０に送信され、不揮発性メモリー３０では異常データＦＤ１として記憶すると同時に室温計測手段２２および時刻計測手段２９からの室温データＲＤ１および時刻データＴＤ１が到着するのを待ち、前記室温計測手段２２および前記時刻計測手段２９では異常信号Ｆ１に誘発されて不揮発性メモリー３０に室温データＲＤ１および時刻データＴＤ１を送信する。つまり異常データＦＤ１、室温データＲＤ１および時刻データＴＤ１が同時に一対のデータＤ１として不揮発性メモリー３０に記憶されることとなる。この後、第１の送風ファン１３あるいは第２の送風ファン１４の再起動を運転指示手段２７が行い、正常に再起動が行われ、これら第１の送風ファン１３と第２の送風ファン１４の動作が継続した後、同様な異常常態が発生すると、異常データＦＤ２、室温データＲＤ２および時刻データＴＤ２とする新たな一対のデータＤ２が不揮発性メモリー３０に記憶され、以降、同様に異常が発生する度に不揮発性メモリー３０への記憶が繰り返される。
【００４１】
このようにして、異常時のデータを記憶した発熱体収納装置用冷却装置７あるいはコントロール基板１９が返却された際に、このコントロール基板１９の不揮発性メモリー３０に記憶された位置データＬＤ１および一対のデータＤ１以降の一対のデータを冶具（図示せず）などにより読み取ることによってこの位置データＬＤ１から発熱体収納装置用冷却装置７の設置位置とこの位置情報を照会することができるので、設置業者や施工業者あるいは管理運用業者からの情報に依存することなく設置されていた位置の気象情報を割り出すことができる。また、故障時刻と異常状態や室温状態を対応付けて知ることもできる。つまり気象情報と読み取った時刻データＴＤ１を照合すれば、異常発生時の気象状況が故障の原因であるかどうか、例えば、落雷が頻発していればそれによる電源系統への誘導ノイズが発生し、第１のインバーター２０あるいは第２のインバーター２１がこのノイズによる誤動作で過電流を引き起こしたものであるとか、設置位置の気温が想定以上に高温であったため第１の送風ファン１３あるいは第２の送風ファン１４が過負荷となり過電流が生じたものであるなどを解析し推定することが容易に効率良くできる。また施工業者の検査員が行う試運転時の状態を利用して扉６が空いているときにＧＰＳ衛星２３の電波が発熱体収納装置用冷却装置７に届く状態で試運転スイッチ２５を操作したときのみ位置データＬＤ１を取り込むので、確実に設置場所の位置データを取り込むことができ、且つ、制御装置１６にとって位置情報を認識するための動作時間が短く、常に位置情報を認識する装置に比べて動作負担を軽くすることができる。
【００４２】
なお、発熱体収納装置をビルディングの屋上に設置されたものとして説明したが、地上に直接設置されたものであっても作用効果に差はなく、以下の実施の形態でも同様であり説明を省略する。
【００４３】
また、試運転スイッチ２５をプッシュスイッチで説明しているがスライドスイッチなどの機構でも作用効果に差はなく、以下の実施の形態でも同様であり説明を省略する。
【００４４】
また、ＧＰＳ衛星２３を便宜上１台で説明しているが、４台以上での運用が正確な位置検出機能を有することは言うまでもなく、以下の実施の形態でも同様であり説明を省略する。
【００４５】
また、測位衛星を用いた位置測定システムを米国のＧＰＳとして説明したが、ロシアのＧＬＯＮＡＳＳシステム（Ｇｌｏｂａｌ  Ｐｏｓｉｔｉｏｎｉｎｇ  Ｓｙｓｔｅｍ）や欧州連合のＧａｌｉｌｅｏシステム（Ｇａｌｉｌｅｏ  Ｐｏｓｉｔｉｏｎｉｎｇ  Ｓｙｓｔｅｍ）などを使用しても作用効果に差はなく、以下の実施の形態でも同様であり説明を省略する。
【００４６】
また、位置データＬＤ１は一度だけの計測として説明したが、発熱体収納装置の定期メンテなどにより扉を開き、試運転スイッチ２５の操作が行われた際に新たな位置データＬＤ２が不揮発性メモリー３０に記憶されても良く、極稀な発熱体収納装置の移設が行われた場合にも作用効果に差はなく、以下の実施の形態でも同様であり説明を省略する。
【００４７】
（実施の形態２）
さて、本実施の形態では、図５に示すとおり、実施の形態１において試運転判断手段２６から受信装置２４および運転指示手段２７に送信していた信号を電圧判断手段３１から送信する信号に入れ替えたものである。すなわち、直流電源１８の電圧を検出する電圧検出手段３３から直接に前記電圧判断手段３１に送信するとともにタイマー３２を通して前記電圧判断手段３１に接続するものである。なお、実施の形態１と同一構成部分については、同一符号を用いてその詳細な説明は省略する。
【００４８】
これにより、発熱体収納装置用冷却装置７がキャビネット４の扉６に組み込まれてこの発熱体収納装置用冷却装置７を動作させるためにキャビネット４の扉６を開けた状態で施工業者の検査員（図示せず）が直流電源１８を印加すると直流電源１８に接続されている電圧検出手段３３により直流電圧が印加されたことを検出し、タイマー３２および電圧判断手段３１に信号を送信する。このタイマー３２では信号を受信すると予め設定された直流電圧の瞬時停電よりは長い時間Ｔ（例えば、２秒）が経過すると電圧判断手段３１に信号を送信し、この電圧判断手段３１では先の電圧検出手段３３からの信号が継続して受信されていれば直流電圧が正常に印加されたものとして信号を受信装置２４に送信する。そして受信装置２４はＧＰＳ衛星２３より電波を受け取り、認識した位置データＬＤ１を不揮発性メモリー３０に送信して位置データＬＤ１が記憶される。その後扉６が閉められこの発熱体収納装置用冷却装置７は完全にキャビネット４の中に電波の届かない電波遮蔽状態として密閉される。なお位置データＬＤ１が記憶されるまでの時間は、例えば、３秒程度であり、施工業者の検査員の正常動作確認は３分程度であるので、動作確認中に位置データＬＤ１は確実に記憶させることができる。
【００４９】
この後、キャビネット４内で通信機５を冷却するために発熱体収納装置用冷却装置７が運転を開始し、異常判断手段２８では第１の送風ファン１３と第２の送風ファン１４を駆動制御する第１のインバーター２０および第２のインバーター２１の運転状態を監視することとなる。万が一、例えば、過電流などの異常状態が発生すると、異常判断手段２８が異常と判断した場合には、この異常判断手段２８は運転指示手段２７に異常信号Ｆ１を送信し、異常が発生した第１のインバーター２０あるいは第２のインバーター２１を停止させるようにする。一方、この異常信号Ｆ１は室温計測手段２２、時刻計測手段２９および不揮発性メモリー３０に送信され、不揮発性メモリー３０では異常データＦＤ１として記憶すると同時に室温計測手段２２および時刻計測手段２９からの室温データＲＤ１および時刻データＴＤ１が到着するのを待つこととなる。前記室温計測手段２２および前記時刻計測手段２９は異常信号Ｆ１に誘発されて不揮発性メモリー３０に室温データＲＤ１および時刻データＴＤ１を送信し、異常データＦＤ１、室温データＲＤ１および時刻データＴＤ１が同時に一対のデータＤ１として不揮発性メモリー３０に記憶されることとなる。この後、第１の送風ファン１３あるいは第２の送風ファン１４の再起動を運転指示手段２７が行い、正常に再起動が行われ、これら第１の送風ファン１３と第２の送風ファン１４の動作が継続した後、同様な異常常態が発生すると、異常データＦＤ２、室温データＲＤ２および時刻データＴＤ２とする新たな一対のデータＤ２が不揮発性メモリー３０に記憶され、以降、同様に異常が発生する度に不揮発性メモリー３０への記憶が繰り返される。
【００５０】
このようにして、異常時のデータを記憶した発熱体収納装置用冷却装置７あるいはコントロール基板１９が返却された際に、このコントロール基板１９の不揮発性メモリー３０に記憶された位置データＬＤ１および一対のデータＤ１以降の一対のデータを冶具（図示せず）などにより読み取ることによってこの位置データＬＤ１から発熱体収納装置用冷却装置７の設置位置とこの位置情報を照会することができるので、設置業者や施工業者あるいは管理運用業者からの情報に依存することなく設置されていた位置の気象情報を割り出すことができる。また、故障時刻と異常状態や室温状態を対応付けて知ることもできる。つまり気象情報と読み取った時刻データＴＤ１を照合すれば、異常発生時の気象状況が故障の原因であるかどうか、例えば、落雷が頻発していればそれによる電源系統への誘導ノイズが発生し、第１のインバーター２０あるいは第２のインバーター２１がこのノイズによる誤動作で過電流を引き起こしたものであるとか、設置位置の気温が想定以上に高温であったため第１の送風ファン１３あるいは第２の送風ファン１４が過負荷となり過電流が生じたものであるなどを解析し推定することが容易に効率良くできる。また施工業者の検査員が行う試運転時の状態を利用して扉６が空いているときにＧＰＳ衛星２３の電波が発熱体収納装置用冷却装置７に届く状態で直流電源１８が印加され扉６が閉鎖されるまでに位置データＬＤ１を取り込むので、確実に設置場所の位置データを取り込むことができ、且つ、制御装置１６にとって位置情報を認識するための動作時間が短く、常に位置情報を認識する装置に比べて動作負担を軽くすることができる。
【００５１】
（実施の形態３）
さて、本実施の形態では、図６および図７に示すとおり、実施の形態１において受信装置２４および運転指示手段２７に送信する信号を扉開閉判断手段３４からの信号としたもので、すなわち、コントロール基板１９に発熱体収納装置用冷却装置７より十分長く（例えば２０ｃｍ）飛び出したノブ３５を有する扉スイッチ３６を備え、この扉スイッチ３６に接続されこの扉スイッチの接点状態を監視する前記扉開閉判断手段３４をコントロール基板１９に備えているものである。なお、実施の形態１と同一構成部分については、同一符号を用いてその詳細な説明は省略する。
【００５２】
これにより、発熱体収納装置用冷却装置７がキャビネット４の扉６に組み込まれてこの発熱体収納装置用冷却装置７の動作を行うためにキャビネット４の扉６を開けた状態で検査員（図示せず）が直流電源１８を印加してから扉６を閉め始めると発熱体収納装置用冷却装置７より十分長く（例えば２０ｃｍ）飛び出したノブ３５にキャビネット４内の挿入物が触れこのノブ３５が押されると直ちに扉スイッチ３６の接点が閉から開となりこの状態を扉開閉判断手段３４が扉６を閉める状態と判断し、直ちに受信装置２４に信号を送付し、扉６がまだ閉め切らないうちに、すなわち、発熱体収納装置用冷却装置７にＧＰＳ衛星２３からの電波が届くうちに、受信装置２４がＧＰＳ衛星２３より電波を受け取り認識した位置データＬＤ１を不揮発性メモリー３０に送信して位置データＬＤ１が記憶された後、扉６が完全に閉められこの発熱体収納装置用冷却装置７は完全にキャビネット４の中に電波の届かない電波遮蔽状態として密閉される。
【００５３】
この後、キャビネット４内で通信機５を冷却するために発熱体収納装置用冷却装置７が運転を開始し、異常判断手段２８では第１の送風ファン１３と第２の送風ファン１４を駆動制御する第１のインバーター２０および第２のインバーター２１の運転状態を監視し、万が一、例えば、過電流などの異常状態が発生し、異常判断手段２８が異常と判断した場合に運転指示手段２７に異常信号Ｆ１を送信し、異常が発生した第１のインバーター２０あるいは第２のインバーター２１を停止させるようにする。一方、この異常信号Ｆ１は室温計測手段２２、時刻計測手段２９および不揮発性メモリー３０に送信され、不揮発性メモリー３０では異常データＦＤ１として記憶すると同時に室温計測手段２２および時刻計測手段２９からの室温データＲＤ１および時刻データＴＤ１が到着するのを待ち、前記室温計測手段２２および前記時刻計測手段２９では異常信号Ｆ１に誘発されて不揮発性メモリー３０に室温データＲＤ１および時刻データＴＤ１を送信し、異常データＦＤ１、室温データＲＤ１および時刻データＴＤ１が同時に一対のデータＤ１として不揮発性メモリー３０に記憶されることとなる。この後、第１の送風ファン１３あるいは第２の送風ファン１４の再起動を運転指示手段２７が行い、正常に再起動が行われ、これら第１の送風ファン１３と第２の送風ファン１４の動作が継続した後、同様な異常常態が発生すると、異常データＦＤ２、室温データＲＤ２および時刻データＴＤ２とする新たな一対のデータＤ２が不揮発性メモリー３０に記憶され、以降、同様に異常が発生する度に不揮発性メモリー３０への記憶が繰り返される。
【００５４】
このようにして、異常時のデータを記憶した発熱体収納装置用冷却装置７あるいはコントロール基板１９が返却された際に、このコントロール基板１９の不揮発性メモリー３０に記憶された位置データＬＤ１および一対のデータＤ１以降の一対のデータを冶具（図示せず）などにより読み取ることによってこの位置データＬＤ１から発熱体収納装置用冷却装置７の設置位置とこの位置情報を照会することができるので、設置業者や施工業者あるいは管理運用業者からの情報に依存することなく設置されていた位置の気象情報を割り出すことができる。また、故障時刻と異常状態や室温状態を対応付けて知ることもできる。つまり気象情報と読み取った時刻データＴＤ１を照合すれば、異常発生時の気象状況が故障の原因であるかどうか、例えば、落雷が頻発していればそれによる電源系統への誘導ノイズが発生し、第１のインバーター２０あるいは第２のインバーター２１がこのノイズによる誤動作で過電流を引き起こしたものであるとか、設置位置の気温が想定以上に高温であったため第１の送風ファン１３あるいは第２の送風ファン１４が過負荷となり過電流が生じたものであるなどを解析し推定することが容易に効率良くできる。また施工業者の検査員が行う試運転時の状態を利用して扉６が空いているときにＧＰＳ衛星２３の電波が発熱体収納装置用冷却装置７に届く状態で直流電源１８が印加され扉６が閉鎖され始めるとノブ３５が扉スイッチ３６を開状態にして同時に位置データＬＤ１を取り込むので、確実に設置場所の位置データを取り込むことができ、且つ、制御装置１６にとって位置情報を認識するための動作時間が短く、常に位置情報を認識する装置に比べて動作負担を軽くすることができる。
【００５５】
（実施の形態４）
さて、本実施の形態では、図８および図９に示すとおり、実施の形態２に対して、十分長く（例えば２０ｃｍ）飛び出したノブ３５を有する扉スイッチ３６をキャビネット４内側に扉スイッチ箱３７に備えて設けたもので、すなわちノブ３５が扉６に触れるように備えているものである。なお、実施の形態２と同一構成部分については、同一符号を用いてその詳細な説明は省略する。
【００５６】
これにより、発熱体収納装置用冷却装置７がキャビネット４の扉６に組み込まれてこの発熱体収納装置用冷却装置７の動作を行うためにキャビネット４の扉６を開けた状態で施工業者の検査員（図示せず）が直流電源１８を印加してから扉６を閉め始めるとキャビネット４内に創備えた扉スイッチ箱３７から十分長く（例えば２０ｃｍ）飛び出したノブ３５に扉６が触れこのノブ３５が押されると直ちに扉スイッチ３６の接点が閉から開となりこの状態を扉開閉判断手段３４が扉６を閉める状態と判断し、直ちに受信装置２４に信号を送付し、扉６がまだ閉め切らないうちに、すなわち、発熱体収納装置用冷却装置７にＧＰＳ衛星２３からの電波が届くうちに、受信装置２４がＧＰＳ衛星２３より電波を受け取り認識した位置データＬＤ１を不揮発性メモリー３０に送信して位置データＬＤ１が記憶された後、扉６が完全に閉められこの発熱体収納装置用冷却装置７は完全にキャビネット４の中に電波の届かない電波遮蔽状態として密閉される。
【００５７】
この後、キャビネット４内で通信機５を冷却するために発熱体収納装置用冷却装置７が運転を開始し、異常判断手段２８は、第１の送風ファン１３と第２の送風ファン１４を駆動制御する第１のインバーター２０および第２のインバーター２１の運転状態を監視することとなる。万が一、例えば、過電流などの異常状態が発生し、異常判断手段２８が異常と判断した場合には、この異常判断手段２８は運転指示手段２７に異常信号Ｆ１を送信して異常が発生した第１のインバーター２０あるいは第２のインバーター２１を停止させるようにする。一方、この異常信号Ｆ１は室温計測手段２２、時刻計測手段２９および不揮発性メモリー３０に送信され、不揮発性メモリー３０では異常データＦＤ１として記憶すると同時に室温計測手段２２および時刻計測手段２９からの室温データＲＤ１および時刻データＴＤ１が到着するのを待つこととなる。前記室温計測手段２２および前記時刻計測手段２９では異常信号Ｆ１に誘発されて不揮発性メモリー３０に室温データＲＤ１および時刻データＴＤ１を送信し、異常データＦＤ１、室温データＲＤ１および時刻データＴＤ１が同時に一対のデータＤ１として不揮発性メモリー３０に記憶されることとなる。この後、第１の送風ファン１３あるいは第２の送風ファン１４の再起動を運転指示手段２７が行い、正常に再起動が行われ、これら第１の送風ファン１３と第２の送風ファン１４の動作が継続した後、同様な異常常態が発生すると、異常データＦＤ２、室温データＲＤ２および時刻データＴＤ２とする新たな一対のデータＤ２が不揮発性メモリー３０に記憶され、以降、同様に異常が発生する度に不揮発性メモリー３０への記憶が繰り返される。
【００５８】
このようにして、異常時のデータを記憶した発熱体収納装置用冷却装置７あるいはコントロール基板１９が返却された際に、このコントロール基板１９の不揮発性メモリー３０に記憶された位置データＬＤ１および一対のデータＤ１以降の一対のデータを冶具（図示せず）などにより読み取ることによってこの位置データＬＤ１から発熱体収納装置用冷却装置７の設置位置とこの位置情報を照会することができるので、設置業者や施工業者あるいは管理運用業者からの情報に依存することなく設置されていた位置の気象情報を割り出すことができる。また、故障時刻と異常状態や室温状態を対応付けて知ることもできる。つまり気象情報と読み取った時刻データＴＤ１を照合すれば、異常発生時の気象状況が故障の原因であるかどうか、例えば、落雷が頻発していればそれによる電源系統への誘導ノイズが発生し、第１のインバーター２０あるいは第２のインバーター２１がこのノイズによる誤動作で過電流を引き起こしたものであるとか、設置位置の気温が想定以上に高温であったため第１の送風ファン１３あるいは第２の送風ファン１４が過負荷となり過電流が生じたものであるなどを解析し推定することが容易に効率良くできる。また、発熱体収納装置用冷却装置７を動作させるために扉６が空いているＧＰＳ衛星２３の電波が発熱体収納装置用冷却装置７に届く状態で直流電源１８が印加され扉６が閉鎖され始めるとノブ３５が扉スイッチ３６を開状態にして同時に位置データＬＤ１を取り込むので、確実に設置場所の位置データを取り込むことができ、且つ、制御装置１６にとって位置情報を認識するための動作時間が短く、常に位置情報を認識する装置に比べて動作負担を軽くすることができる。
【００５９】
（実施の形態５）
さて、本実施の形態では、図１０および図１１に示すとおり、実施の形態１に加えて、外気温を計測するべく第１吸気口８内に外気温サーミスター３８を備えて、コントロール基板１９に備えた第１環境温度計測手段としての外気温計測手段３９を接続し、この外気温計測手段３９へ異常判断手段２８からの異常信号が送信され、前記外気温計測手段３９からは不揮発性メモリー３０に接続されているものである。なお、実施の形態１と同一構成部分については、同一符号を用いてその詳細な説明は省略する。
【００６０】
これにより、発熱体収納装置用冷却装置７がキャビネット４の扉６に組み込まれてこの発熱体収納装置用冷却装置７の正常動作確認を施工業者の検査員（図示せず）が行うためにキャビネット４の扉６を開けた状態で直流電源１８が印加され、施工業者の検査員が試運転スイッチ２５を押すことにより試運転判断手段２６が試運転状態への移行と判断し、運転指示手段２７に所定の運転指令を行うと共に試運転信号を受信装置２４に送信し、受信装置２４がＧＰＳ衛星２３より電波を受け取り認識した位置データＬＤ１を不揮発性メモリー３０に送信してこの位置データＬＤ１が記憶される。この後、発熱体収納装置用冷却装置７の正常動作が確認された後に扉６が閉められこの発熱体収納装置用冷却装置７は完全にキャビネット４の中に電波の届かない電波遮蔽状態として密閉される。
【００６１】
この後、キャビネット４内で通信機５を冷却するために発熱体収納装置用冷却装置７が運転を開始し、異常判断手段２８では第１の送風ファン１３と第２の送風ファン１４を駆動制御する第１のインバーター２０および第２のインバーター２１の運転状態を監視する。万が一、例えば、過電流などの異常状態が発生し、異常判断手段２８が異常と判断した場合には、この異常判断手段２８は運転指示手段２７に異常信号Ｆ１を送信し、異常が発生した第１のインバーター２０あるいは第２のインバーター２１を停止させるようにする。一方、この異常信号Ｆ１は室温計測手段２２、時刻計測手段２９、不揮発性メモリー３０および外気温計測手段３９に送信され、不揮発性メモリー３０では異常データＦＤ１として記憶すると同時に室温計測手段２２、時刻計測手段２９および外気温計測手段３９からの室温データＲＤ１、時刻データＴＤ１および外気温データＡＤ１が到着するのを待つことになる。前記室温計測手段２２、前記時刻計測手段２９および外気温計測手段３９では異常信号Ｆ１に誘発されて不揮発性メモリー３０に室温データＲＤ１、時刻データＴＤ１および外気温データＡＤ１を送信し、異常データＦＤ１、室温データＲＤ１、時刻データＴＤ１および外気温データＡＤ１が同時に一対のデータＤ１として不揮発性メモリー３０に記憶されることとなる。この後、第１の送風ファン１３あるいは第２の送風ファン１４の再起動を運転指示手段２７が行い、正常に再起動が行われ、これら第１の送風ファン１３と第２の送風ファン１４の動作が継続した後、同様な異常常態が発生すると、異常データＦＤ２、室温データＲＤ２、時刻データＴＤ２および外気温データＡＤ２とする新たな一対のデータＤ２が不揮発性メモリー３０に記憶され、以降、同様に異常が発生する度に不揮発性メモリー３０への記憶が繰り返される。
【００６２】
このようにして、異常時のデータを記憶した発熱体収納装置用冷却装置７あるいはコントロール基板１９が返却された際に、このコントロール基板１９の不揮発性メモリー３０に記憶された位置データＬＤ１および一対のデータＤ１以降の一対のデータを冶具（図示せず）などにより読み取ることによってこの位置データＬＤ１から発熱体収納装置用冷却装置７の設置位置とこの位置情報を照会することができるので、設置業者や施工業者あるいは管理運用業者からの情報に依存することなく設置されていた位置の気象情報を割り出すことができる。また、故障時刻と異常状態、室温状態や外気温状態を対応付けて知ることもできる。つまり気象情報と読み取った時刻データＴＤ１を照合すれば、異常発生時の気象状況が故障の原因であるかどうか、例えば、落雷が頻発していればそれによる電源系統への誘導ノイズが発生し、第１のインバーター２０あるいは第２のインバーター２１がこのノイズによる誤動作で過電流を引き起こしたものであるとか、設置位置の気温が想定以上に高温であったため第１の送風ファン１３あるいは第２の送風ファン１４が過負荷となり過電流が生じたものであるなどを解析し推定することが容易に効率良くできる。また施工業者の検査員が行う試運転時の状態を利用して扉６が空いているときにＧＰＳ衛星２３の電波が発熱体収納装置用冷却装置７に届く状態で試運転スイッチ２５を操作したときのみ位置データＬＤ１を取り込むので、確実に設置場所の位置データを取り込むことができ、且つ、制御装置１６にとって位置情報を認識するための動作時間が短く、常に位置情報を認識する装置に比べて動作負担を軽くすることができる。
【００６３】
さらに、外気温サーミスター３８によって計測した外気温データを記憶させることにより設置位置の気象情報の温度補正を行うことができ、つまり、同一時刻の気象情報の温度データと記憶されている外気温データを照合することにより、設置された場所と気象情報の温度データとの温度差が明確になり、この気象情報の温度データの故障時刻前後の気温の補正を類推することが可能となるので、より精度の良い要因推定が可能となる。
【００６４】
（実施の形態６）
さて、本実施の形態では、図１２に示すとおり、実施の形態１に加えて、第１の送風ファン１３および第２の送風ファン１４の運転時間を積算する運転時間積算手段４０を備えたもので、すなわち、運転指示手段２７から第１のインバーター２０および第２のインバーター２１への運転指示信号を前記運転時間積算手段４０に印加し、この運転時間積算手段４０へ異常判断手段２８からの異常信号が送信され、この運転時間積算手段４０からは不揮発性メモリー３０に接続されているものである。なお、実施の形態１と同一構成部分については、同一符号を用いてその詳細な説明は省略する。
【００６５】
これにより、発熱体収納装置用冷却装置７がキャビネット４の扉６に組み込まれてこの発熱体収納装置用冷却装置７の正常動作確認を検査員（図示せず）が行うためにキャビネット４の扉６を開けた状態で直流電源１８が印加され、施工業者の検査員が試運転スイッチ２５を押すことにより試運転判断手段２６が試運転状態への移行と判断し、運転指示手段２７に所定の運転指令を行うと共に試運転信号を受信装置２４に送信し、受信装置２４がＧＰＳ衛星２３より電波を受け取り認識した位置データＬＤ１を不揮発性メモリー３０に送信してこの位置データＬＤ１が記憶される。この後、発熱体収納装置用冷却装置７の正常動作が確認された後に扉６が閉められこの発熱体収納装置用冷却装置７は完全にキャビネット４の中に電波の届かない電波遮蔽状態として密閉される。
【００６６】
この後、キャビネット４内で通信機５を冷却するために発熱体収納装置用冷却装置７が運転を開始し、異常判断手段２８では第１の送風ファン１３と第２の送風ファン１４を駆動制御する第１のインバーター２０および第２のインバーター２１の運転状態を監視する。
【００６７】
また、運転時間積算手段４０では運転指示手段より送付されてくる第１のインバーター２０および第２のインバーター２１への運転指示信号を前記運転時間積算手段４０内のタイマーカウンター（図示せず）で積算して第１の送風ファン１３および第２の送風ファン１４の運転時間積算データを生成している。この様な状態で、万が一、例えば、過電流などの異常状態が発生し、異常判断手段２８が異常と判断した場合には、この異常判断手段２８は運転指示手段２７に異常信号Ｆ１を送信し、異常が発生した第１のインバーター２０あるいは第２のインバーター２１を停止させるようにする。一方、この異常信号Ｆ１は室温計測手段２２、時刻計測手段２９、不揮発性メモリー３０および運転時間積算手段４０に送信され、不揮発性メモリー３０では異常データＦＤ１として記憶すると同時に室温計測手段２２、時刻計測手段２９および運転時間積算手段４０からの室温データＲＤ１、時刻データＴＤ１、第１の送風ファン１３の積算運転データＭＤ１Ｄ１および第２の送風ファン１４の積算運転データＭＤ２Ｄ１が到着するのを待つこととなる。前記室温計測手段２２、前記時刻計測手段２９および運転時間積算手段４０では異常信号Ｆ１に誘発されて不揮発性メモリー３０に室温データＲＤ１、時刻データＴＤ１、第１の送風ファン１３の積算運転データＭＤ１Ｄ１および第２の送風ファン１４の積算運転データＭＤ２Ｄ１を送信し、異常データＦＤ１、室温データＲＤ１、時刻データＴＤ１、第１の送風ファン１３の積算運転データＭＤ１Ｄ１および第２の送風ファン１４の積算運転データＭＤ２Ｄ１が同時に一対のデータＤ１として不揮発性メモリー３０に記憶されることとなる。この後、第１の送風ファン１３あるいは第２の送風ファン１４の再起動を運転指示手段２７が行い、正常に再起動が行われ、これら第１の送風ファン１３と第２の送風ファン１４の動作が継続した後、同様な異常常態が発生すると、異常データＦＤ２、室温データＲＤ２、時刻データＴＤ２、第１の送風ファン１３の積算運転データＭＤ１Ｄ２および第２の送風ファン１４の積算運転データＭＤ２Ｄ２とする新たな一対のデータＤ２が不揮発性メモリー３０に記憶され、以降、同様に異常が発生する度に不揮発性メモリー３０への記憶が繰り返される。
【００６８】
このようにして、異常時のデータを記憶した発熱体収納装置用冷却装置７あるいはコントロール基板１９が返却された際に、このコントロール基板１９の不揮発性メモリー３０に記憶された位置データＬＤ１および一対のデータＤ１以降の一対のデータを冶具（図示せず）などにより読み取ることによってこの位置データＬＤ１から発熱体収納装置用冷却装置７の設置位置とこの位置情報を照会することができるので、設置業者や施工業者あるいは管理運用業者からの情報に依存することなく設置されていた位置の気象情報を割り出すことができる。また、故障時刻と異常状態や室温状態を対応付けて知ることもできる。つまり気象情報と読み取った時刻データＴＤ１を照合すれば、異常発生時の気象状況が故障の原因であるかどうか、例えば、落雷が頻発していればそれによる電源系統への誘導ノイズが発生し、第１のインバーター２０あるいは第２のインバーター２１がこのノイズによる誤動作で過電流を引き起こしたものであるとか、設置位置の気温が想定以上に高温であったため第１の送風ファン１３あるいは第２の送風ファン１４が過負荷となり過電流が生じたものであるとか、気象情報に異常が無い場合に第１の送風ファン１３の積算運転データＭＤ１Ｄ１および第２の送風ファン１４の積算運転データＭＤ２Ｄ１がファンモーターの推定寿命時間を越えている場合には寿命によるモーターローターグリスの揮発によるロック症状から起こる過電流症状などを解析し推定することが容易に効率良くできる。また施工業者の検査員が行う試運転時の状態を利用して扉６が空いているときにＧＰＳ衛星２３の電波が発熱体収納装置用冷却装置７に届く状態で試運転スイッチ２５を操作したときのみ位置データＬＤ１を取り込むので、確実に設置場所の位置データを取り込むことができ、且つ、制御装置１６にとって位置情報を認識するための動作時間が短く、常に位置情報を認識する装置に比べて動作負担を軽くすることができる。
【００６９】
さらに、第１の送風ファン１３および第２の送風ファン１４の積算運転データを記憶させることにより設置位置の気象情報に異常が認められない場合の他の要因も推定が可能となる。
【００７０】
（実施の形態７）
さて、本実施の形態では、図１３に示すとおり、実施の形態１に加えて、受信装置２４から時刻計測手段２９に備えた時刻補正手段４１に時刻データを送付するもので、すなわち、ＧＰＳ衛星２３が送信する電波にはＧＰＳ衛星２３内の原子時計（図示せず）誤差情報が含まれておりこの誤差情報を使って時刻補正手段４１にて時刻を補正するものである。なお、実施の形態１と同一構成部分については、同一符号を用いてその詳細な説明は省略する。
【００７１】
これにより、発熱体収納装置用冷却装置７がキャビネット４の扉６に組み込まれてこの発熱体収納装置用冷却装置７の正常動作確認を検査員（図示せず）が行うためにキャビネット４の扉６を開けた状態で直流電源１８が印加され、検査員が試運転スイッチ２５を押すことにより試運転判断手段２６が試運転状態への移行と判断し、運転指示手段２７に所定の運転指令を行うと共に試運転信号を受信装置２４に送信し、受信装置２４がＧＰＳ衛星２３より電波を受け取り認識した位置データＬＤ１を不揮発性メモリー３０に送信してこの位置データＬＤ１が記憶される。加えて、受信装置２４からＧＰＳ衛星２３の原子時計誤差情報を時刻計測手段２９内の時刻補正手段４１に送信し、時刻計測手段２９内の時刻が補正されて原子時計の正確な時刻に補正されることとなる。この後、発熱体収納装置用冷却装置７の正常動作が確認された後に扉６が閉められこの発熱体収納装置用冷却装置７は完全にキャビネット４の中に電波の届かない電波遮蔽状態として密閉される。
【００７２】
この後、キャビネット４内で通信機５を冷却するために発熱体収納装置用冷却装置７が運転を開始し、異常判断手段２８では第１の送風ファン１３と第２の送風ファン１４を駆動制御する第１のインバーター２０および第２のインバーター２１の運転状態を監視し、万が一、例えば、過電流などの異常状態が発生し、異常判断手段２８が異常と判断した場合には、この異常判断手段２８は運転指示手段２７に異常信号Ｆ１を送信し、異常が発生した第１のインバーター２０あるいは第２のインバーター２１を停止させるようにする。一方、この異常信号Ｆ１は室温計測手段２２、時刻計測手段２９および不揮発性メモリー３０に送信され、不揮発性メモリー３０では異常データＦＤ１として記憶すると同時に室温計測手段２２および時刻計測手段２９からの室温データＲＤ１および時刻データＴＤ１が到着するのを待つこととなる。前記室温計測手段２２および前記時刻計測手段２９では異常信号Ｆ１に誘発されて不揮発性メモリー３０に室温データＲＤ１および時刻データＴＤ１を送信し、異常データＦＤ１、室温データＲＤ１および時刻データＴＤ１が同時に一対のデータＤ１として不揮発性メモリー３０に記憶されることとなる。この後、第１の送風ファン１３あるいは第２の送風ファン１４の再起動を運転指示手段２７が行い、正常に再起動が行われ、これら第１の送風ファン１３と第２の送風ファン１４の動作が継続した後、同様な異常常態が発生すると、異常データＦＤ２、室温データＲＤ２および時刻データＴＤ２とする新たな一対のデータＤ２が不揮発性メモリー３０に記憶され、以降、同様に異常が発生する度に不揮発性メモリー３０への記憶が繰り返される。
【００７３】
このようにして、異常時のデータを記憶した発熱体収納装置用冷却装置７あるいはコントロール基板１９が返却された際に、このコントロール基板１９の不揮発性メモリー３０に記憶された位置データＬＤ１および一対のデータＤ１以降の一対のデータを冶具（図示せず）などにより読み取ることによってこの位置データＬＤ１から発熱体収納装置用冷却装置７の設置位置とこの位置情報を照会することができるので、設置業者や施工業者あるいは管理運用業者からの情報に依存することなく設置されていた位置の気象情報を割り出すことができる。また、故障時刻と異常状態や室温状態を対応付けて知ることもできる。つまり気象情報と読み取った時刻データＴＤ１を照合すれば、異常発生時の気象状況が故障の原因であるかどうか、例えば、落雷が頻発していればそれによる電源系統への誘導ノイズが発生し、第１のインバーター２０あるいは第２のインバーター２１がこのノイズによる誤動作で過電流を引き起こしたものであるとか、設置位置の気温が想定以上に高温であったため第１の送風ファン１３あるいは第２の送風ファン１４が過負荷となり過電流が生じたものであるとかを解析し推定することが容易に効率良くできる。また施工業者の検査員が行う試運転時の状態を利用して扉６が空いているときにＧＰＳ衛星２３の電波が発熱体収納装置用冷却装置７に届く状態で試運転スイッチ２５を操作したときのみ位置データＬＤ１を取り込むので、確実に設置場所の位置データを取り込むことができ、且つ、制御装置１６にとって位置情報を認識するための動作時間が短く、常に位置情報を認識する装置に比べて動作負担を軽くすることができる。
【００７４】
さらに、ＧＰＳ衛星２３からの原子時計誤差情報を使って時刻補正手段４１にて時刻を補正しているので時刻データＴＤ１はより正確な時刻となっているので解析の精度が上がることとなる。
【００７５】
（実施の形態８）
さて、本実施の形態では、図１４に示すとおり、実施の形態１に加えて、不揮発性メモリー３０に記憶された位置データＬＤ１を取り出して直ぐに地球上の位置の少なくとも緯度および経度、あるいは、さらに標高とこの位置情報から気象情報を割り出しで表示させようとするものである。すなわち、不揮発性メモリー３０に接続したメモリー読み出し手段４２に表示装置を備えた位置確認手段および気象確認手段としてのパソコン４３を接続し、このパソコン４３はインターネット回線４４に接続されているものである。なお、実施の形態１と同一構成部分については、同一符号を用いてその詳細な説明は省略する。
【００７６】
これにより、発熱体収納装置用冷却装置７がキャビネット４の扉６に組み込まれてこの発熱体収納装置用冷却装置７の正常動作確認を検査員（図示せず）が行うためにキャビネット４の扉６を開けた状態で直流電源１８が印加され、検査員が試運転スイッチ２５を押すことにより試運転判断手段２６が試運転状態への移行と判断し、運転指示手段２７に所定の運転指令を行うと共に試運転信号を受信装置２４に送信し、受信装置２４がＧＰＳ衛星２３より電波を受け取り認識した位置データＬＤ１を不揮発性メモリー３０に送信してこの位置データＬＤ１が記憶される。この後、発熱体収納装置用冷却装置７の正常動作が確認された後に扉６が閉められこの発熱体収納装置用冷却装置７は完全にキャビネット４の中に電波の届かない電波遮蔽状態として密閉される。
【００７７】
この後、キャビネット４内で通信機５を冷却するために発熱体収納装置用冷却装置７が運転を開始し、異常判断手段２８では第１の送風ファン１３と第２の送風ファン１４を駆動制御する第１のインバーター２０および第２のインバーター２１の運転状態を監視し、万が一、例えば、過電流などの異常状態が発生し、異常判断手段２８が異常と判断した場合には、この異常判断手段２８は運転指示手段２７に異常信号Ｆ１を送信し、異常が発生した第１のインバーター２０あるいは第２のインバーター２１を停止させるようにする。一方、この異常信号Ｆ１は室温計測手段２２、時刻計測手段２９および不揮発性メモリー３０に送信され、不揮発性メモリー３０では異常データＦＤ１として記憶すると同時に室温計測手段２２および時刻計測手段２９からの室温データＲＤ１および時刻データＴＤ１が到着するのを待つこととなる。前記室温計測手段２２および前記時刻計測手段２９では異常信号Ｆ１に誘発されて不揮発性メモリー３０に室温データＲＤ１および時刻データＴＤ１を送信し、異常データＦＤ１、室温データＲＤ１および時刻データＴＤ１が同時に一対のデータＤ１として不揮発性メモリー３０に記憶されることとなる。この後、第１の送風ファン１３あるいは第２の送風ファン１４の再起動を運転指示手段２７が行い、正常に再起動が行われ、これら第１の送風ファン１３と第２の送風ファン１４の動作が継続した後、同様な異常常態が発生すると、異常データＦＤ２、室温データＲＤ２および時刻データＴＤ２とする新たな一対のデータＤ２が不揮発性メモリー３０に記憶され、以降、同様に異常が発生する度に不揮発性メモリー３０への記憶が繰り返される。
【００７８】
このようにして、異常時のデータを記憶した発熱体収納装置用冷却装置７あるいはコントロール基板１９が返却された際に、インターネット回線４４に接続したパソコン４３をメモリー読み出し手段４２に接続し、前記コントロール基板１９の不揮発性メモリー３０に記憶された位置データＬＤ１および一対のデータＤ１以降の一対のデータを読み取り、この位置データＬＤ１からインターネット回線４４を使って直ちに発熱体収納装置用冷却装置７の設置位置とこの位置情報を照会することができるので、設置業者や施工業者あるいは管理運用業者からの情報に依存することなく設置されていた位置の気象情報を割り出し、前記パソコン４３上の表示部に表示にすることができる。また、故障時刻と異常状態や室温状態を対応付けて知ることもできる。つまり気象情報と読み取った時刻データＴＤ１を照合すれば、異常発生時の気象状況を割り出し、これらも前記パソコン４３上の表示部に表示にすることができる。これにより故障の原因の要因が外部の影響によるのかどうか、例えば、落雷が頻発していればそれによる電源系統への誘導ノイズが発生し、第１のインバーター２０あるいは第２のインバーター２１がこのノイズによる誤動作で過電流を引き起こしたものであるとか、設置位置の気温が想定以上に高温であったため第１の送風ファン１３あるいは第２の送風ファン１４が過負荷となり過電流が生じたものであるとかを解析し推定することが容易に効率良くできる。
【００７９】
また施工業者の検査員が行う試運転時の状態を利用して扉６が空いているときにＧＰＳ衛星２３の電波が発熱体収納装置用冷却装置７に届く状態で試運転スイッチ２５を操作したときのみ位置データＬＤ１を取り込むので、確実に設置場所の位置データを取り込むことができ、且つ、制御装置１６にとって位置情報を認識するための動作時間が短く、常に位置情報を認識する装置に比べて動作負担を軽くすることができる。
【００８０】
さらに、インターネット回線４４に接続したパソコン４３をメモリー読み出し手段４２に接続し不揮発性メモリー３０に記憶された位置データＬＤ１および一対のデータＤ１以降の一対のデータを読み出し、表示処理できるので、より効率の良い解析作業が可能となる。
【産業上の利用可能性】
【００８１】
本発明にかかる発熱体収納装置用冷却装置は、地球上のどこでも任意に設置され、使用される場所や気象状況が明確でない場合の製品あるいは基板の故障返却時に故障原因の要因解析を効率良く推定させ得るもので、現在位置の少なくとも緯度および経度、あるいは、さらに標高の設置情報が不明であり、常用使用時は電波遮蔽状況で使用される設備製品として有用である。
【符号の説明】
【００８２】
１    ビルディング
２    屋上
３    携帯電話基地局
４    キャビネット
５    通信機
６    扉
７    発熱体収納装置用冷却装置
８    第１吸気口
９    第１吐出口
１０  第２吸気口
１１  第２吐出口
１２  本体ケース
１３  第１の送風ファン
１４  第２の送風ファン
１５  熱交換器
１６  制御装置
１７  室温サーミスター
１８  直流電源
１９  コントロール基板
２０  第１のインバーター
２１  第２のインバーター
２２  室温計測手段
２３  ＧＰＳ衛星
２４  受信装置
２５  試運転スイッチ
２６  試運転判断手段
２７  運転指示手段
２８  異常判断手段
２９  時刻計測手段
３０  不揮発性メモリー
３１  電圧判断手段
３２  タイマー
３３  電圧検出手段
３４  扉開閉判断手段
３５  ノブ
３６  扉スイッチ
３７  扉スイッチ箱
３８  外気温サーミスター
３９  外気温計測手段
４０  運転時間積算手段
４１  時刻補正手段
４２  メモリー読み出し手段
４３  パソコン
４４  インターネット回線
【図１】
2011220635.tif 000003
【図２】
2011220635.tif 000004
【図３】
2011220635.tif 000005
【図４】
2011220635.tif 000006
【図５】
2011220635.tif 000007
【図６】
2011220635.tif 000008
【図７】
2011220635.tif 000009
【図８】
2011220635.tif 000010
【図９】
2011220635.tif 000011
【図１０】
2011220635.tif 000012
【図１１】
2011220635.tif 000013
【図１２】
2011220635.tif 000014
【図１３】
2011220635.tif 000015
【図１４】
2011220635.tif 000016